(57)【特許請求の範囲】
【請求項１】
脚用マッサージ手段を備えた脚載せ台を具備しているとともに、該脚載せ台を椅子の座部前方に位置する使用位置と座部下方に位置する収納位置とに切り換える切換手段とを備えた椅子型マッサージ機であって、上記切換手段はレイジィトング機構を主体とするリンクで形成されているとともに、レイジィトング機構を伸ばして脚載せ台を上記使用位置に位置させる時と、レイジィトング機構を縮めて脚載せ台を上記収納位置に位置させる時とで脚載せ台の姿勢を変化させて上記収納位置において脚載せ台をその前端が下方を向く縦向きとし、且つ上記使用位置において椅子の座部前方で離れたところに位置させるものであり、上記脚載せ台は上記レイジィトング機構にスライド機構を介してスライド自在に連結されているとともに該スライド機構は上記使用位置における脚載せ台を座部側に引き寄せ自在とし且つ上記収納位置において脚載せ台の自重によるスライドを自在としているものとなっていることを特徴とする椅子型マッサージ機。
【請求項２】
スライド機構はスライドレールにスライダーを摺接自在としたものとして形成されているとともに、該スライド機構のスライドレールとスライダーとの摺接面の摩擦係数は、上記使用位置にある脚載せ台に脚が載せられていなくて上記摺接面にかかる荷重が低い時と、脚が載せられて上記摺接面にかかる荷重が大きい時とで、脚載せ台をスライドさせる際のスライド抵抗が変化して、脚が載せられている時には脚載せ台のスライド抵抗が大となる値としていることを特徴とする請求項１記載の椅子型マッサージ機。
【請求項３】
スライド機構は、脚載せ台のスライド移動範囲の少なくとも一部に脚載せ台のスライド動作を規制する規制部と、この規制を解除する解除部材とを備えていることを特徴とする請求項１または２記載の椅子型マッサージ機。
【請求項４】
脚載せ台の上記姿勢変化によって変化する角度の検出手段を備えており、上記解除部材は上記検出された脚載せ台の角度に応じて脚載せ台のスライド動作規制を解除するものであることを特徴とする請求項３記載の椅子型マッサージ機。
【請求項５】
使用位置での切換手段に対する脚載せ台の前後方向角度を調整する角度調整手段を備えていることを特徴とする請求項１記載の椅子型マッサージ機。
【請求項６】
使用位置での切換手段に対する脚載せ台の高さを調整する高さ調整手段を備えていることを特徴とする請求項１記載の椅子型マッサージ機。
【請求項７】
脚載せ台は、一対の断面Ｕ字形の脚収納溝を備えて、該脚収納溝の少なくとも両側面に脚用マッサージ手段である膨張収縮する空気袋を配したものであるとともに、一対の脚収納溝の平行度を調整する調整手段を備えていることを特徴とする請求項１〜６のいずれか１項に記載の椅子型マッサージ機。
【請求項８】
脚載せ台は、一対の断面Ｕ字形の脚収納溝を備えて、該脚収納溝の少なくとも両側面に脚用マッサージ手段である膨張収縮する空気袋を配したものであるとともに、脚収納溝の幅を調整する幅調整手段を備えていることを特徴とする請求項１〜７のいずれか１項に記載の椅子型マッサージ機。
【発明の詳細な説明】
【０００１】
【発明の属する技術分野】
本発明は椅子型マッサージ機、殊に脚用マッサージ手段を備えた脚載せ台を具備している椅子型マッサージ機に関するものである。
【０００２】
【従来の技術】
脚用マッサージ手段を備えた脚載せ台を具備している椅子型マッサージ機においては、脚載せ台を椅子の座部前方に位置する使用位置と座部下方に位置する収納位置とに切り換える切換手段を備えたものとすることで、脚載せ台を使用しない時に脚載せ台が邪魔になってしまうことを避けることができ、また脚載せ台の使用時には適切な位置に脚載せ台を位置させることができる。
【０００３】
【発明が解決しようとする課題】
しかし、従来の切換手段は、脚載せ台を使用位置に位置させた時の椅子の座部前端と脚載せ台との間の間隔が固定であったことから、個々の脚の長さに合わせられず、人によっては脚への効果的なマッサージを受けることができなかった。
【０００４】
また、脚の形状も個人差があるが、これに対応することができず、この点においても脚への効果的なマッサージを受けることができなかった。
【０００５】
本発明はこのような点に鑑みなされたものであって、その目的とするところは脚の長さや形状の個人差にかかわらず効果的なマッサージを行うことができる椅子型マッサージ機を提供するにある。
【０００６】
【課題を解決するための手段】
しかして本発明は、脚用マッサージ手段を備えた脚載せ台を具備しているとともに、該脚載せ台を椅子の座部前方に位置する使用位置と座部下方に位置する収納位置とに切り換える切換手段とを備えた椅子型マッサージ機であって、上記切換手段はレイジィトング機構を主体とするリンクで形成されているとともに、レイジィトング機構を伸ばして脚載せ台を上記使用位置に位置させる時と、レイジィトング機構を縮めて脚載せ台を上記収納位置に位置させる時とで脚載せ台の姿勢を変化させて上記収納位置において脚載せ台をその前端が下方を向く縦向きとし、且つ上記使用位置において椅子の座部前方で離れたところに位置させるものであり、上記脚載せ台は上記レイジィトング機構にスライド機構を介してスライド自在に連結されているとともに該スライド機構は上記使用位置における脚載せ台を座部側に引き寄せ自在とし且つ上記収納位置において脚載せ台の自重によるスライドを自在としているものとなっていることに特徴を有している。脚の長さに応じて脚載せ台の前後位置を調整することができるものである。
【０００７】
スライド機構はスライドレールにスライダーを摺接自在としたものとして形成されているとともに、該スライド機構のスライドレールとスライダーとの摺接面の摩擦係数は、摺接面の摩擦係数は、上記使用位置にある脚載せ台に脚が載せられていなくて上記摺接面にかかる荷重が低い時と、脚が載せられて上記摺接面にかかる荷重が大きい時とで、脚載せ台をスライドさせる際のスライド抵抗が変化して、脚が載せられている時には脚載せ台のスライド抵抗が大となる値としているものであれば、脚を載せている時には脚載せ台が動きにくく、脚を外した時には脚載せ台が動きやすくなるようにすることができる。
【０００８】
スライド機構が、脚載せ台のスライド移動範囲の少なくとも一部に脚載せ台のスライド動作を規制する規制部と、この規制を解除する解除部材とを備えているものとするのも好ましい。
【０００９】
また、脚載せ台の上記姿勢変化によって変化する角度の検出手段を備えており、上記解除部材は上記検出された脚載せ台の角度に応じて脚載せ台のスライド動作規制を解除するものとしてもよい。
【００１０】
使用位置での切換手段に対する脚載せ台の前後方向角度を調整する角度調整手段を備えたものとしたり、使用位置での切換手段に対する脚載せ台の高さを調整する高さ調整手段を備えたものとすることも好ましい。
【００１１】
また、脚載せ台は、一対の断面Ｕ字形の脚収納溝を備えて、該脚収納溝の少なくとも両側面に脚用マッサージ手段である膨張収縮する空気袋を配したものであるとともに、一対の脚収納溝の平行度を調整する調整手段を備えたものとしたり、脚収納溝の幅を調整する幅調整手段を備えたものとすることも好ましい。
【００１２】
【発明の実施の形態】
以下本発明を実施の形態の一例に基づいて詳述すると、図示例のマッサージ機は、図３に示すように、フレーム８１と座部８０、アームレスト８２、そしてリクライニング自在な背もたれ８３とからなる椅子８の背もたれ８３内に、人体の背面に対するマッサージを行うマッサージ手段（図示せず）を内蔵させたもので、座部８０の先端部には脚載せ台１を配設してある。図１中のシリンダー９は背もたれ８３のリクライニングのためのものである。
【００１３】
上記脚載せ台１は、図４に示すように、パイプで組まれた支持体１４から帯状に形成した空気袋３，３を吊り下げたもので、空気袋３が形成する断面Ｕ字形の脚収納溝３０内に脚（ふくらはぎ部）を納め、この状態で空気袋３に接続した給排気手段４を作動させて空気袋３を膨張収縮させることにより、脚に圧迫マッサージを行う。
【００１４】
ここで、上記脚載せ台１は、複数節のリンク機構であるレイジィトング機構８５を介してフレーム８１に取り付けられている。一方のリンクの一端側が軸８６によってフレーム８０に軸着されているとともに他方のリンクの一端側が回動リンク８７を介してフレーム８０に取りつけられているレイジィトング機構８５は、回動リンク８７の回動に伴って伸縮を行う。
【００１５】
また脚載せ台１の支持体１４は、レイジィトング機構８５に軸着されているとともにレイジィトング機構８５の先端側の軸にリンク８８を介して連結されることで、レイジィトング機構８５の伸縮に伴って、その姿勢を変化させるものであり、レイジィトング機構８５を伸ばした時、脚載せ台１は図１に示すように、座部８０の前方で少し離れたところに少し前下がりになっただけの状態で位置し、レイジィトング機構８５を縮めたときには、図２に示すように、座部８０の下方に縦向きの状態で納まるようにしてある。
【００１６】
また、脚載せ台１は、レイジィトング機構８５に直接連結するのではなく、スライド機構を介して連結してある。すなわち、レイジィトング機構８５とリンク８８の先端にころ７０，７０を取り付けて、脚載せ台１に設けたスライドレール１０に上記ころ７０，７０を転動自在に装着することで、切換手段であるレイジィトング機構８５に対して、脚載せ台１をスライドさせることができるようにしてある。
【００１７】
通常の使用状態では、自重によって脚載せ台１は前方寄りに位置しているが、脚載せ台１を椅子側に引き寄せれば、図１に鎖線で示すように、座部８０の前端側に脚載せ台１を近づけることができ、このために、脚の長さの個人差に対応することができるものとなっている。
【００１８】
図５に他例を示す。これはレイジィトング機構８５とリンク８８の先端間にバー８９を掛け渡すとともに、該バー８９に軸７１によって回動自在に装着した回転板７２に一対のころ７０，７０を設けており、これらころ７０，７０をスライドレール１０に係合させる脚載せ台１は、前後の位置調整だけでなく、軸７１を中心とする回転板７２の回転で、前後方向の角度も調整することができるものとなっている。
【００１９】
また、図６に示すものでは、一対のころ７０，７０を設けた可動板７３と、バー８９との間にばね７４を介在させて、脚載せ台１を使用位置にセットした状態において、ばね７４によって脚載せ台１が上方へ付勢されたものとしてある。この脚載せ台１に脚を載せれば、脚載せ台１は脚の重さに応じて沈んでその高さ位置を変える。バー８９と可動板７３とはたとえば送りねじ機構によって連結して送りねじ機構で脚載せ台１の高さ調整を行えるようにしてもよい。
【００２０】
図７〜図９に別の例を示す。脚載せ台１の下面には前後方向に長いスライドレール１０を一対設けており、またレイジィトング機構８５の先端部の左右連結プレート９０上にはスライダー９１，９１を固定してある。上記スライドレール１０はスライダー９１に被さった状態でスライド自在に係合する。図７中のＭは背もたれ８３に上下移動自在に配したマッサージ手段、Ｃは操作器である。
【００２１】
ここにおいて、スライダー９１の上面とスライドレール１０の内面とが脚載せ台１の前後位置調節に際して摺接するのであるが、この摺接面の摩擦係数は、脚載せ台１に脚を載せていない低荷重時には脚載せ台１を容易にスライドさせることができるものの、使用者が脚を脚載せ台１に載せて上記スライド面にかかる荷重を大きくした時には容易にスライドさせることができなくなる値に設定してある。スライダー９１とスライドレール１０とからなるスライド機構の摺接面にかかる荷重に応じてスライド抵抗が変化して脚載せ台１に脚を載せている時にはスライド抵抗の増加で脚載せ台１の不要な前後の動きを抑制することができる。なお、脚載せ台１を収納のために縦向きにした時には、上記摺動面の抵抗は殆どゼロとなるために、脚載せ台１はその自重でスライドレール１０の後端の部分にスライダー９１が位置する状態、つまり脚載せ台１が下方に下がった状態（レイジィトング機構８５を伸ばして脚載せ台１を使用状態とした時には前方寄りとなる状態）となる。
【００２２】
図１０に示すように、スライドレール１０の前端側の内部に凹部２０を設けて、脚載せ台１を最も座部８０寄りに引き寄せた時にスライダー９１が凹部２０に嵌まり込み、スライド動作が規制されてしまうようにするのも好ましい。この場合、脚載せ台１を少し持ち上げるようにすることで、スライダー９１を凹部２０から抜け出させて上記規制を解除することで脚載せ台１の前後位置調整を行うことができる。また、図示例では、凹部２０との境界を滑らかな傾斜面でつないでいるために、脚載せ台１に脚を載せたままでも脚載せ台１に前方に向けて強い力を加えれば、凹部２０からスライダー９１が抜け出るために、前後位置調整を行うことができる。
【００２３】
図１２に示すように、スライドレール１０の内面にばね９４による付勢でスライダー９１の側面に接するとともに、スライドレール１０内に配した電磁石９５の付勢でスライダー９１から離れる鉄製のプレート９６を設けて、電気的にスライド規制をかけることができるようにしてもよい。
【００２４】
また、電気的にスライド規制を行う場合、図１２(a)に示す脚載せ台１の使用時と図１２(b) に示す脚載せ台１の収納時とを角度の変化で検出するセンサ９７を設けておき、脚載せ台１を使用状態から収納状態へと移行させる時にはセンサ９７の出力でこれを検知して、上記電磁石９５を付勢することで、スライド規制を解除するようにすれば、脚載せ台１は自重で収納のための前後位置に戻ることになる。
【００２５】
図１３に足載せ台１の他例を示す。ここにおける脚載せ台１は、左右一対のベース１１，１１と、各ベース１１上に設けた支持体１４，１４と、空気袋３とからなるもので、左右一対のベース１１は、前後方向の一端側においてヒンジ（図示せず）で連結されているとともに他端側において、送りねじ１２で連結されている。一方のベース１１は送りねじ１２の右ねじ部にナット１３を螺合させ、他方のベース１１は送りねじ１２の左ねじ部にナット１３を螺合させていることから、送りねじ１２を回すことで、ベース１１，１１の他端側の間隔を変化させることができる。ベース１１，１１の一端側は上述のようにヒンジで連結されているために、上記間隔の変化で両ベース１１，１１の平行度、つまりは吊り下げられた空気袋３によるところの断面Ｕ字形の一対の脚収納部３０，３０の平行度を調整することができるものであり、この平行度の調整により、Ｏ脚の人やＸ脚の人でも、一対の脚収納部３０，３０に適切に脚を納めることができる。
【００２６】
また、各ベース１１上にある支持体１４，１４にしても、ベース１１の場合と同様に、前後方向の一端側をヒンジで連結し、前後方向の他端側を送りねじ１７とナット１８とによって連結することで、他端側における支持体１４，１４の間隔、つまりは脚収納部３０の幅を調整することができるようにしてある。脚の太さや形状の個人差に応じて脚収納部３０の幅を調整することができるようにしているわけである。
【００２７】
なお、ベース１１，１１及び支持体１４，１４はその一端側をヒンジで連結した例を説明したが、一端側においても、送りねじとナットとを用いて連結してもよい。
【００２８】
図１４は足首側のための気室３１とふくらはぎ側のための気室３２とを独立させた空気袋３を示している。
【００２９】
【発明の効果】
以上のように本発明においては、
脚用マッサージ手段を備えた脚載せ台を具備しているとともに、該脚載せ台を椅子の座部前方に位置する使用位置と座部下方に位置する収納位置とに切り換える切換手段とを備えるとともに、脚載せ台を切換手段にスライド機構を介してスライド自在に連結しているために、脚載せ台を使用位置においた時、脚の長さに応じて脚載せ台の前後位置を調整することができるものであり、脚の長さの個人差にかかわらず、脚に対して効果的なマッサージを確実に与えることができるものである。
【００３０】
しかも上記切換手段はレイジィトング機構を主体とするリンクで形成されてレイジィトング機構を伸ばして脚載せ台を上記使用位置に位置させた時には椅子の座部前方で離れたところに脚載せ台が位置し、スライド機構を利用して座部側に引き寄せることで前後位置を調整するものであり、またレイジィトング機構を縮めて脚載せ台を上記収納位置に位置させる時には脚載せ台をその前端が下方を向く縦向きとする上に、この時には上記スライド機構により脚載せ台の自重によるスライドを自在としているために、使用位置から収納位置に脚載せ台を移動させるに際して、脚載せ台を手動でスライドさせる必要がない。
【００３１】
そしてスライド機構はスライドレールにスライダーを摺接自在としたものとして形成されているとともに、該スライド機構のスライドレールとスライダーとの摺接面の摩擦係数は、摺接面の摩擦係数は、上記使用位置にある脚載せ台に脚が載せられていなくて上記摺接面にかかる荷重が低い時と、脚が載せられて上記摺接面にかかる荷重が大きい時とで、脚載せ台をスライドさせる際のスライド抵抗が変化して、脚が載せられている時には脚載せ台のスライド抵抗が大となる値としているものであれば、使用状態において脚を載せている時には脚載せ台が動きにくくなるようにすることができる。
【００３２】
スライド機構が、脚載せ台のスライド移動範囲の少なくとも一部に脚載せ台のスライド動作を規制する規制部と、この規制を解除する解除部材とを備えているものにおいても、使用状態において脚を載せている時に脚載せ台が動きにくくなるようにすることができる。
【００３３】
この時、使用位置での切換手段に対する脚載せ台の前後方向角度を調整する角度調整手段を備えたものとしたり、使用位置での切換手段に対する脚載せ台の高さを調整する高さ調整手段を備えたものとすることで、個々の脚の形状に脚載せ台をより確実に合わせることができ、より効果的なマッサージを与えることができる。
【００３４】
また、脚載せ台が一対の断面Ｕ字形の脚収納溝を備えて、該脚収納溝の少なくとも両側面に脚用マッサージ手段である膨張収縮する空気袋を配したものであるとともに、一対の脚収納溝の平行度を調整する調整手段を備えたものである場合、Ｏ脚やＸ脚の人も脚収納部に脚をフィットさせることができて、脚と空気袋との接触面積を広くし、発生力の脚への伝達効率を高めることができる。
【００３５】
脚収納溝の幅を調整する幅調整手段を備えたものとしても、脚と空気袋との接触面積を広くして発生力の脚への伝達効率を高めることができる。
【図面の簡単な説明】
【図１】本発明の実施の形態の一例の側面図である。
【図２】同上の側面図である。
【図３】同上の全体構成を示す斜視図である。
【図４】同上の脚載せ台の正面図である。
【図５】他例の部分側面図である。
【図６】さらに他例の部分側面図である。
【図７】別の例の斜視図である。
【図８】同上の脚載せ台の底面図である。
【図９】同上のスライドレールとスライダーを示しており、(a)は分解斜視図、(b)は断面図である。
【図１０】スライドレールとスライダーの他例を示しており、(a)は分解斜視図、(b)は断面図である。
【図１１】スライドレールとスライダーの別の例を示しており、(a)は電磁石オフ時の断面図、(b)は電磁石オン時の断面図である。
【図１２】(a)(b)は同上の部分側面図である。
【図１３】脚載せ台の他例の正面図である。
【図１４】空気袋の展開平面図である。
【符号の説明】
１  脚載せ台
３  空気袋
１０  スライドレール
７０  ころ
８０  座部
８５  レイジィトング機構
【図１】
0003861541.tif 000002
【図２】
0003861541.tif 000003
【図３】
0003861541.tif 000004
【図４】
0003861541.tif 000005
【図５】
0003861541.tif 000006
【図６】
0003861541.tif 000007
【図７】
0003861541.tif 000008
【図８】
0003861541.tif 000009
【図９】
0003861541.tif 000010
【図１０】
0003861541.tif 000011
【図１１】
0003861541.tif 000012
【図１２】
0003861541.tif 000013
【図１３】
0003861541.tif 000014
【図１４】
0003861541.tif 000015